【事件の表示】
　平成１１年特許願第１０２８６８号「オンスクリーン表示方法及び装置」拒絶査定不服審判事件〔平成１２年１０月２０日出願公開、特開２０００−２９３１５３〕について、次のとおり審決する。
【結　論】
　本件審判の請求は、成り立たない。
【理　由】
１　手続の経緯
　本願は、平成１１年４月９日の出願であって、平成１８年１２月４日付け（発送日：平成１８年１２月１９日）で拒絶査定がなされ、これに対して平成１９年１月１５日に拒絶査定不服審判の請求がなされるとともに、平成１９年１月１７日付けで明細書を対象とする手続補正がなされたものである。
　
２　平成１９年１月１７日付け手続補正についての補正却下の決定
［補正却下の決定の結論］
平成１９年１月１７日付け手続補正を却下する。
［理由］独立特許要件違反
　平成１９年１月１７日付け手続補正（以下、「本件補正」という。）により、特許請求の範囲の請求項１は、
「【請求項１】
　水平方向の計数開始時点からドットクロックを計数するとともに垂直方向の計数開始時点から水平同期信号を計数し、前記ドットクロック及び水平同期信号の計数値に基づいてパターン記憶手段から文字を含むイメージパターンを読み出し、表示画面上に複数のイメージパターンを表示させるオンスクリーン表示方法において、
　隣接するイメージパターン間の水平方向及び／又は垂直方向の間隔を設定するパターン間隔設定手段を用いて、隣接するイメージパターン間の水平方向及び／又は垂直方向の間隔を設定し、
　あるイメージパターンから次のイメージパターンの読み出しに移行する時点において、前記パターン間隔設定手段によって設定された間隔に相当する期間、前記ドットクロック及び／又は水平同期信号の計数を停止させ、
　次のイメージパターンの読み出しタイミングを遅らせることにより隣接するイメージパターン間の水平方向及び／又は垂直方向の間隔を任意に設定可能にしたことを特徴とするオンスクリーン表示方法。」から、
　
「【請求項１】
　水平方向の計数開始時点からドットクロックを計数するとともに垂直方向の計数開始時点から水平同期信号を計数し、前記ドットクロック及び水平同期信号の計数値に基づいてパターン記憶手段から文字を含むキャラクタフォントパターンを読み出し、表示画面上に複数のキャラクタフォントパターンを表示させるオンスクリーン表示方法において、
　隣接するキャラクタフォントパターン間の水平方向及び／又は垂直方向の間隔を設定するパターン間隔設定手段を用いて、隣接するキャラクタフォントパターン間の水平方向及び／又は垂直方向の間隔を設定し、
　あるキャラクタフォントパターンから次のキャラクタフォントパターンの読み出しに移行する時点において、前記パターン間隔設定手段によって設定された間隔に相当する期間、前記ドットクロック及び／又は水平同期信号の計数を停止させ、
　次のキャラクタフォントパターンの読み出しタイミングを遅らせることにより隣接するキャラクタフォントパターン間の水平方向及び／又は垂直方向の間隔を任意に設定可能にしたことを特徴とするオンスクリーン表示方法。」
に補正された。
　
　そして、この補正は、
　補正前の「イメージパターン」（８箇所）を、「キャラクタフォントパターン」（８箇所）と限定するものである。
　
　したがって、この補正は特許請求の範囲の減縮を目的とするものに該当する。
　そこで、本件補正後の請求項１に係る発明が特許出願の際独立して特許を受けることができるものであるか（平成１８年法律第５５号改正附則第３条第１項によりなお従前の例によるとされる同法による改正前の特許法第１７条の２第５項において準用する特許法第１２６条第５項の規定に適合するか）について検討する。
　
（１）本件補正後の本願発明
　本願の請求項１に係る発明（以下、「本願補正発明」という。）は、本件補正により補正された明細書及び図面の記載からみて、その請求項１に記載されたとおりのものと認める。
　
（２）引用刊行物に記載された発明
　原査定の拒絶の理由に引用され、本願の出願前に頒布された刊行物である特開昭６１−２１４８７９号公報（以下、「引用刊行物１」という。）には、「画像表示装置」の発明に関して、図面とともに以下の事項が記載されている。
　
＜記載事項１＞
「第１図は、この発明の画像表示装置の実施例を示し、８×８ドット表示の最右端に１ドット分の表示部を増加して画像の横方向の表示幅を修正するものである。
　第１図において、この画像表示装置には、画像情報を記憶する書込み読出し可能な画像記憶手段としてビデオ記憶素子（Ｖ−ＲＡＭ）２が設けられ、このビデオ記憶素子２には、キャラクタやグラフィックなどの種々の画像情報が図示していない中央演算処理装置などの制御手段を介して書き込まれている。
　このビデオ記憶素子２に記憶された画像情報は、水平アドレスＡ０、Ａ１・・・Ａ６および垂直アドレスＡ７、Ａ８・・・Ａ１４の指定に基づいて読み出すことができる。
　これらアドレスを指定するための第１の信号発生手段として水平カウンタ４とともに、第２の信号発生手段として垂直カウンタ６が設けられ、水平カウンタ４は３４２進カウンタ、垂直カウンタ６は２６２進カウンタで構成されている。
　水平カウンタ４が発生する９ビットのカウント出力中の最下位および最上位のビットを除いた並列ビット出力ＨＱ１、ＨＱ２・・・ＨＱ７は、ビデオ記憶素子２の読出信号として水平アドレスＡ０、Ａ１・・・Ａ６となり、垂直カウンタ６が発生する８ビットの並列ビット出力ＶＱ０、ＶＱ１・・・ＶＱ７は、ビデオ記憶素子２の読出信号として垂直アドレスＡ７、Ａ８・・・Ａ１４に対応している。
　また、水平カウンタ４の全並列ビット出力ＨＱ０、ＨＱ１・・・ＨＱ８はデコーダ８に加えられ、デコーダ８は水平カウンタ４の最終カウント値「３４１」の１クロックパルス前のカウント値「３４０」を出力し、この出力はセレクト回路１０に加えられ、このセレクト回路１０の出力は、遅延回路１２を介して水平カウンタ４のリセット入力Ｒ、垂直カウンタ６のクロック入力ＣＫに加えられている。
　また、水平カウンタ４の下位ビット出力ＨＱ０、ＨＱ１、ＨＱ２は、画像補正手段としての画像補正論理回路１４に加えられている。
　画像補正論理回路１４は、表示画面の水平表示領域の任意の位置に任意の表示部を挿入して水平表示領域を増加させ、かつ、挿入した表示部にビデオ記憶素子２の画像情報を読み出す論理回路である。
　すなわち、水平カウンタ４の並列ビット出力ＨＱ０、ＨＱ１・・・ＨＱ８の下位ビット出力ＨＱ２、ＨＱ１およびインバータ１５によって反転されるＨＱ０はそれぞれＡＮＤ回路１６に入力され、この下位ビットＨＱ２、ＨＱ１、ＨＱ０が「１」「１」「０」となったとき、前記ＡＮＤ回路１６の入力条件が成立し、論理積出力が発生するようにマトリックスが構成されている。そして、ＡＮＤ回路１６の出力は遅延回路１８に加えられ、この遅延回路１８の出力は、ＡＮＤ回路２０に加えられている。このＡＮＤ回路２０には、調整入力端子２２に加えられるアスペクト比調整入力ＡＣ、水平カウンタ４の出力をデコードするデコーダ２４の出力ＨＮ１、ＨＮ２のいずれか一方を選択するセレクト回路２６の出力が加えられており、そのＡＮＤ条件の成立によって発生する出力は、インバータ２８を介してＡＮＤ回路３０に制御信号として加えられ、クロックパルスＣＰとのＡＮＤ条件の成立に応じて発生するパルス出力は、水平カウンタ４のクロック入力ＣＫに加えられている。」（第２頁右上欄第８行−第３頁左上欄第１４行）
　
＜記載事項２＞
「以上の構成に基づき、その動作を説明する。
　水平カウンタ４の並列ビット出力ＨＱ０〜ＨＱ８がデコーダ８に加えられ、セレクト回路１０からは調整入力端子２２に加えられるアスペクト比調整入力ＡＣに応じてカウント値「３１２」または最終カウント値「３４０」の何れかが選択されて出力され、その出力信号は遅延回路１２で１クロツクパルスだけ遅延させた後、水平カウンタ４のリセット入力Ｒ、垂直カウンタ６のクロック入力ＣＫに加えられる。すなわち、垂直カウンタ６は、セレクト回路１０の出力に応じて垂直同期信号期間が設定され、カウント値「３４１」または「３１３」で設定された時間間隔を持つ垂直同期信号が形成される。
　また、水平カウンタ４の下位ビット出力ＨＱ０の反転信号、出力ＨＱ１およびＨＱ２はＡＮＤ回路１６に加えられ、すなわち、出力ＨＱ０、ＨＱ１、ＨＱ２が「０」「１」「１」によってＡＮＤ条件が成立する。このＡＮＤ回路１６の出力は、遅延回路１８で１クロックパルスだけ遅延させた後、ＡＮＤ回路２０に加えられる。
　このとき、調整入力端子２２に加えられるアスペクト比調整入力ＡＣ、に「１」が立っている場合、その入力「１」と、その調整入力ＡＣによってセレクト回路２６の選択出力と、遅延回路１８の遅延出力とによってＡＮＤ条件が成立する。このＡＮＤ回路２０の出力は、インバータ２８で反転され、その反転信号「０」がクロックパルスとともに、ＡＮＤ回路３０に加えられ、ＡＮＤ回路３０のＡＮＤ条件が不成立となり、クロック入力ＣＫが１クロックパルス分だけ停止し、水平カウンタ４の最下位ビットのカウントが停止される。
　この結果、再び９ドット目に８ドット目の表示を１クロックパルス間だけ繰り返すことになり、９ドット目に新たな表示部が形成されることになる。
　そして、１０ドット目のクロックパルスが加わると、ＡＮＤ回路１６のＡＮＤ条件が不成立となり、ＡＮＤ回路２０のＡＮＤ条件も不成立となるので、ＡＮＤ回路２０の出力「０」のインバータ２８による反転信号「１」によってＡＮＤ条件が成立し、水平カウンタ４に再びクロック入力ＣＫが加えられる。」（第３頁左下欄第１２行−第４頁左上欄第１４行）
　
＜記載事項３＞
「第３図に示すように、８×８ドットの文字表示「ＰＡ・・」のようにキャラクタ表示について、第４図に示すように、その表示の８ドット目に１ドットの表示部を挿入したものであり、表示文字の間隔、すなわち、横方向の行間を増加し、表示文字「ＰＡ・・」が見易くなっている。」（第４頁左下欄第１２−１７行）
　
＜記載事項４＞
「なお、実施例ではアスペクト比の調整を８ドット目の１ドットの表示部を加えたが、任意のアスペクト比を設定するために表示部の挿入位置、挿入ドット数など任意に設定し、任意の補正比率を設定して所望の画像を得ることが可能である。」（第４頁右下欄第６−１０行）
　
　上記記載事項１の「水平カウンタ４の最終カウント値「３４１」の１クロックパルス前のカウント値「３４０」を出力し」と、上記記載事項２の「クロック入力ＣＫが１クロックパルス分だけ停止し、水平カウンタ４の最下位ビットのカウントが停止される」という記載からみて、水平カウンタ４はクロック入力ＣＫに入力されるクロックパルスＣＰの個数をカウントしていることを読み取れる。同様に、垂直カウンタ６はセレクト回路１０の出力の個数をカウントしていることを読み取れる。
　
　第３図から、８×８のドットパターンの文字が縦横に並んで表示されていることが見て取れる。
　
　第４図から、８×８のドットパターンの文字が縦横に並んで表示され、その表示の８ドット目に１ドットの表示部を挿入し、文字の横方向の間隔を１ドット分増加したものが見て取れる。
　
　上記記載事項１乃至４からみて、ビデオ記憶素子２から読み出した文字を表示する表示方法が読み取れる。
　
　よって、前記記載事項１乃至４及び図面の記載からみて、引用刊行物１には、以下の発明が記載されているものと認められる。
「水平カウンタ４がリセットされた時点からクロックパルスＣＰをカウントするとともに垂直カウンタ６がリセットされた時点からセレクト回路１０の出力をカウントし、前記クロックパルスＣＰ及びセレクト回路１０の出力のカウント出力に対応する水平アドレス、垂直アドレスに基づいてビデオ記憶素子２から文字を読み出し、表示画面上に複数の８×８のドットパターンの文字を表示させる文字表示方法において、
　８×８のドットパターンの文字が縦横に並んで表示される９ドット目に８ドット目の表示を１クロックパルスの間だけ繰り返して、文字の横方向の間隔を１ドット分増加する画像補正論理回路１４を用いて、文字の横方向の間隔を１ドット分増加し、
　前記画像補正論理回路１４によって９ドット目のクロックパルスを１クロックパルス分だけ停止し、水平カウンタ４のカウントを停止させ、
　次の文字の読み出しタイミングを９ドット目のクロックパルスから１０ドット目のクロックパルスに遅らせることにより、その表示の８ドット目に１ドット挿入して文字の横方向の間隔を増加するものにおいて、その挿入ドット数が任意に設定可能である文字表示方法。」（以下、「引用発明１」という。）
　
（３）対比
　本願補正発明と引用発明１とを対比する。
　
　引用発明１の「水平カウンタ４がリセットされた時点からクロックパルスＣＰをカウントする」と、本願補正発明の「水平方向の計数開始時点からドットクロックを計数する」とは、「水平方向の計数開始時点からクロックを計数する」という点で共通する。
　
　引用発明１のセレクト回路１０の出力は、カウント値「３４１」または「３１３」で設定された時間間隔を持つ信号であるから、引用発明１の「垂直カウンタ６がリセットされた時点からセレクト回路１０の出力をカウントし」と、本願補正発明の「垂直方向の計数開始時点から水平同期信号を計数し」とは、「垂直方向の計数開始時点から同期信号を計数し」という点で共通する。
　
　引用発明１の「カウント出力」、「ビデオ記憶素子２」は、本願補正発明の「計数値」、「パターン記憶手段」に相当する。
　そして、引用発明１の「８×８のドットパターンの文字」と、本願補正発明の「キャラクタフォントパターン」とは、「キャラクタパターン」である点で共通する。
　引用発明１の「文字表示方法」と、本願補正発明の「オンスクリーン表示方法」とは、「表示方法」である点で共通する。
　したがって、引用発明１の「前記クロックパルスＣＰ及びセレクト回路１０の出力のカウント出力に対応する水平アドレス、垂直アドレスに基づいてビデオ記憶素子２から文字を読み出し、表示画面上に複数の８×８のドットパターンの文字を表示させる文字表示方法において」と、本願補正発明の「前記ドットクロック及び水平同期信号の計数値に基づいてパターン記憶手段から文字を含むキャラクタフォントパターンを読み出し、表示画面上に複数のキャラクタフォントパターンを表示させるオンスクリーン表示方法において」とは、「前記クロック及び同期信号の計数値に基づいてパターン記憶手段から文字を含むキャラクタパターンを読み出し、表示画面上に複数のキャラクタパターンを表示させる文字表示方法において」で共通する。
　
　引用発明１の「文字の横方向の間隔を１ドット分増加する画像補正論理回路１４」は、本願補正発明の「パターン間隔設定手段」に相当するから、引用発明１の「８×８のドットパターンの文字が縦横に並んで表示される９ドット目に８ドット目の表示を１クロックパルスの間だけ繰り返して、文字の横方向の間隔を１ドット分増加する画像補正論理回路１４を用いて、文字の横方向の間隔を１ドット分増加し」と、本願補正発明の「隣接するキャラクタフォントパターン間の水平方向及び／又は垂直方向の間隔を設定するパターン間隔設定手段を用いて、隣接するキャラクタフォントパターン間の水平方向及び／又は垂直方向の間隔を設定し」とは、「隣接するキャラクタパターン間の水平方向及び／又は垂直方向の間隔を設定するパターン間隔設定手段を用いて、隣接するキャラクタパターン間の水平方向及び／又は垂直方向の間隔を設定し」である点で共通する。
　
　第３図と第４図とからみて、９ドット目のクロックパルスが入力される時点は、次の文字の読み出しに移行する時点であることは明らかである。そして、画像補正論理回路１４により増加される文字の横方向間隔の１ドット分は、クロック入力ＣＫを１クロックパルス分だけ停止し、９ドット目に８ドット目の表示を１クロックパルス間だけ繰り返すことにより形成されるものであるから、引用発明１の「１クロックパルス分」は本願補正発明の「パターン間隔設定手段によって設定された間隔に相当する期間」に相当する。
　したがって、引用発明１の「前記画像補正論理回路１４によって９ドット目のクロックパルスを１クロックパルス分だけ停止し、水平カウンタ４のカウントを停止させ」と、本願補正発明の「あるキャラクタフォントパターンから次のキャラクタフォントパターンの読み出しに移行する時点において、前記パターン間隔設定手段によって設定された間隔に相当する期間、前記ドットクロック及び／又は水平同期信号の計数を停止させ」とは、「あるキャラクタパターンから次のキャラクタパターンの読み出しに移行する時点において、前記パターン間隔設定手段によって設定された間隔に相当する期間、前記クロック及び／又は同期信号の計数を停止させ」である点で共通する。
　
　引用発明１の「次の文字の読み出しタイミングを９ドット目のクロックパルスから１０ドット目のクロックパルスに遅らせることにより、その表示の８ドット目に１ドット挿入して文字の横方向の間隔を増加するものにおいて、その挿入ドット数が任意に設定可能である」と、本願補正発明の「次のキャラクタフォントパターンの読み出しタイミングを遅らせることにより隣接するキャラクタフォントパターン間の水平方向及び／又は垂直方向の間隔を任意に設定可能にした」とは、「次のキャラクタパターンの読み出しタイミングを遅らせることにより隣接するキャラクタパターン間の水平方向及び／又は垂直方向の間隔を任意に設定可能にした」である点で共通する。
　
　引用発明１の対象である「文字表示方法」と、本願発明の対象である「オンスクリーン表示方法」とは、「表示方法」である点で共通する。
　
　したがって、本願補正発明と引用発明１の両者は、以下の一致点で一致し、以下の相違点で相違する。
　
＜一致点＞
　「水平方向の計数開始時点からクロックを計数するとともに垂直方向の計数開始時点から同期信号を計数し、前記クロック及び同期信号の計数値に基づいてパターン記憶手段から文字を含むキャラクタパターンを読み出し、表示画面上に複数のキャラクタパターンを表示させる表示方法において、
　隣接するキャラクタパターン間の水平方向及び／又は垂直方向の間隔を設定するパターン間隔設定手段を用いて、隣接するキャラクタパターン間の水平方向及び／又は垂直方向の間隔を設定し、
　あるキャラクタパターンから次のキャラクタパターンの読み出しに移行する時点において、前記パターン間隔設定手段によって設定された間隔に相当する期間、前記クロック及び／又は同期信号の計数を停止させ、
　次のキャラクタパターンの読み出しタイミングを遅らせることにより隣接するキャラクタパターン間の水平方向及び／又は垂直方向の間隔を任意に設定可能にしたことを特徴とする表示方法。」
　
＜相違点１＞
　本願補正発明では、水平方向の計数開始時点からドットクロックを計数するとともに垂直方向の計数開始時点から水平同期信号を計数しているのに対して、引用発明１では、水平方向の計数開始時点からクロックパルスＣＰをカウントするとともに垂直方向の計数開始時点からセレクト回路１０の出力をカウントしている点。
　
＜相違点２＞
　本願補正発明では、パターン記憶手段から文字を含むキャラクタフォントパターンを読み出しているのに対して、引用発明１では、ビデオ記憶素子２から文字を読み出している点。
　
＜相違点３＞
　本願補正発明の対象が「オンスクリーン表示方法」であるのに対して、引用発明１の対象が「文字表示方法」である点。
　
（４）当審の判断
ア　相違点１
　水平カウンタと垂直カウンタの計数値を用いて画像メモリのアドレスを指定するものにおいて、ドットクロック及び水平同期信号を計数することは、例えば特開平２−５５３９０号公報に記載されているように当該分野において周知技術である。よって、引用発明１における水平カウンタ及び垂直カウンタで計数する信号を、ドットクロック及び水平同期信号とすることは、当業者が引用発明１及び周知技術に基づいて容易に想到し得ることである。
　
　したがって、相違点１に係る本願補正発明の発明特定事項は、引用発明１及び周知技術に基づいて、当業者が容易に想到し得ることである。
　
イ　相違点２
　表示される文字の形をキャラクタフォントパターンにより表すことは、引用例を示すまでもなく、当該分野において周知技術であるから、引用発明１においてビデオ記憶素子２から読み出される文字をキャラクタフォントパターンとすることは、当業者が引用発明１及び周知技術に基づいて容易に想到し得ることである。
　
　したがって、相違点２に係る本願補正発明の発明特定事項は、当業者であれば引用発明１及び周知技術に基づいて容易に想到し得ることである。
　
ウ　相違点３
　表示装置に文字を表示するものにおいて、オンスクリーン表示は引用例を示すまでもなく、周知技術であるから、引用発明１をオンスクリーン表示に用いるようにすることは、当業者が引用発明１及び周知技術に基づいて容易に想到し得ることである。
　
　したがって、相違点３に係る本願補正発明の発明特定事項は、当業者であれば引用発明１及び周知技術に基づいて容易に想到し得ることである。
　
　そして、本願補正発明によって奏される効果は、引用刊行物１の記載から当業者が予測し得る程度のものに過ぎない。
　
　したがって、本願補正発明は、引用発明１及び周知技術に基づいて当業者であれば容易に発明をすることができたものであるから、特許法第２９条第２項の規定により特許出願の際独立して特許を受けることができない。
　
（５）まとめ
　以上のとおり、本件補正は、平成１８年法律第５５号改正附則第３条第１項によりなお従前の例によるとされる同法による改正前の特許法第１７条の２第５項において準用する特許法第１２６条第５項の規定に違反するので、特許法第１５９条第１項で読み替えて準用する特許法第５３条第１項の規定により却下されるべきものである。
　
３　本願発明
　本件補正は上記のとおり却下されたので、本願の請求項１に係る発明（以下、「本願発明」という。）は、平成１７年１０月１１日付けの手続補正により補正された明細書及び図面の記載からみて、請求項１に記載されたとおりのものと認める。（前記「２」の項参照。）
　
４　引用刊行物に記載された発明
　引用刊行物１に記載された事項は、前記「２（２）」に記載されたとおりである。
　
５　対比・判断
　本願発明は、前記「２」で検討した本願補正発明の「キャラクタフォントパターン」を「イメージパターン」に上位概念化したものである。
　そうすると、本願発明の構成をすべて含み、さらに一の構成要件について限定したものに相当する本願補正発明が、前記「２」に記載したとおり、引用発明１及び周知技術に基づいて、当業者が容易に発明をすることができたものであるから、本願発明も同様の理由により、引用発明１及び周知技術に基づいて、当業者が容易に発明をすることができたものである。
　
６　むすび
　したがって、本願発明は、引用発明１及び周知技術に基づいて当業者が容易に発明をすることができたものであるから、特許法第２９条第２項の規定により特許を受けることができない。
　したがって、他の請求項に係る発明について審理するまでもなく、本願は拒絶すべきものである。
　
　よって、結論のとおり審決する。